(57)【要約】【課題】複数の復号化処理が混在する場合であっても、フィルタ処理が２重に実行されることを抑制し、画質劣化を回避することができる画像再生装置および画像再生方法を提供する。【解決手段】画像再生装置１００は、ストリームをＨ．２６４で復号化する第１の復号化部１０２と、ストリームをＭＰＥＧ２で復号化する第２の復号化部１０３と、復号化された動画像信号にデブロックフィルタ処理を行うフィルタ処理部１０４と、ストリームからデブロックフィルタ処理の有無を示す情報を抽出するストリーム解析部１０５と、デブロックフィルタ処理がＯＮの場合はフィルタ処理部１０４のフィルタ処理を実行せず、デブロックフィルタ処理がＯＦＦの場合はフィルタ処理を実行するようにフィルタ処理部１０４の制御を行うフィルタ処理判定部１０６とを備える。【選択図】図１
2007129369.tif 000002
【特許請求の範囲】
【請求項１】
符号化されたストリームを復号化して動画像を再生する画像再生装置であって、
ノイズを除去するためのフィルタ処理を内部に有する第１復号化方式で前記ストリームを復号化する第１復号化手段と、
ノイズを除去するためのフィルタ処理を内部に有さない第２復号化方式で前記ストリームを復号化する第２復号化手段と、
前記ストリームの符号化方式に応じて第１復号化手段または第２復号化手段によって復号化された動画像に対して、ノイズを除去するためのフィルタ処理を実行するフィルタ処理手段と、
前記第１復号化手段によって復号化される前記ストリームを解析することにより、前記第１復号化手段によって前記第１復号化方式内部でフィルタ処理されているか否かを前記ストリームの所定の単位で判定するストリーム解析手段と、
前記ストリーム解析手段の判定結果に基づいて、前記フィルタ処理手段におけるフィルタ処理を制御するフィルタ処理制御手段と
を備えることを特徴とする画像再生装置。
【請求項２】
前記フィルタ処理制御手段は、前記ストリーム解析手段の判定結果に基づいて、前記フィルタ処理手段におけるフィルタ処理を前記ストリームの所定の単位で制御する
ことを特徴とする請求項１記載の画像再生装置。
【請求項３】
前記画像再生装置は、さらに、
前記ストリーム解析手段によって前記第１復号化方式内部でフィルタ処理されていると判定された場合、前記ストリームを構成するピクチャを分割したブロック単位に、前記第１復号化手段より前記第１復号化方式内部でフィルタ処理されているか否かのフィルタ処理情報を取得するフィルタ情報取得手段を備え、
前記フィルタ処理制御手段は、前記フィルタ情報取得手段によって取得された前記フィルタ処理情報に基づいて、前記フィルタ処理手段におけるフィルタ処理を前記ブロック単位で制御する
ことを特徴とする請求項１記載の画像再生装置。
【請求項４】
前記フィルタ処理制御手段は、前記ストリーム解析手段によって前記第１復号化方式内部でフィルタ処理されていると判定された場合、前記フィルタ処理手段におけるフィルタ処理を実行しないように制御し、前記ストリーム解析手段によって前記第１復号化方式内部でフィルタ処理されていないと判定された場合、前記フィルタ処理手段におけるフィルタ処理を実行するように制御する
ことを特徴とする請求項１記載の画像再生装置。
【請求項５】
前記第１復号化手段は、前記第１復号化方式での前記フィルタ処理としてブロックノイズを除去するためのフィルタ処理を有し、
前記フィルタ処理手段は、復号化された前記動画像に対してブロックノイズを除去するためのフィルタ処理を実行する
ことを特徴とする請求項１記載の画像再生装置。
【請求項６】
前記フィルタ処理手段は、復号化された前記動画像に対して複数種類のフィルタ処理を実行し、
前記フィルタ処理制御手段は、前記ストリーム解析手段の判定結果に基づいて、前記フィルタ処理手段における、前記第１復号化方式内部でフィルタ処理されている種類と同じ種類のフィルタ処理を制御する
ことを特徴とする請求項１記載の画像再生装置。
【請求項７】
前記画像再生装置は、さらに、
前記ストリーム解析手段によって前記第１復号化方式内部でフィルタ処理されていると判定された場合、前記ストリームを解析してフィルタ強度を判定するフィルタ強度判定手段を備え、
前記フィルタ処理制御手段は、前記フィルタ強度判定手段によって判定されたフィルタ強度に応じて、前記フィルタ処理手段におけるフィルタ処理を制御する
ことを特徴とする請求項１記載の画像再生装置。
【請求項８】
前記フィルタ処理制御手段は、前記フィルタ強度判定手段によって判定されたフィルタ強度が所定の閾値以上である場合、前記フィルタ処理手段におけるフィルタ処理を実行しないように制御し、前記フィルタ強度が所定の閾値以上でない場合、前記フィルタ処理手段におけるフィルタ処理を実行するように制御する
ことを特徴とする請求項７記載の画像再生装置。
【請求項９】
前記フィルタ処理制御手段は、前記フィルタ強度判定手段によって判定されたフィルタ強度に応じて、前記フィルタ処理手段におけるフィルタ処理のフィルタ強度を変更するように制御する
ことを特徴とする請求項７記載の画像再生装置。
【請求項１０】
前記フィルタ処理制御手段は、前記フィルタ強度判定手段によって判定されたフィルタ強度に反比例するように、前記フィルタ処理手段におけるフィルタ処理のフィルタ強度を変更するように制御する
ことを特徴とする請求項９記載の画像再生装置。
【請求項１１】
前記画像再生装置は、さらに、
前記ストリーム解析手段によって前記第１復号化方式内部でフィルタ処理されていると判定された場合、前記第１復号化手段より復号化時の量子化情報およびフィルタ強度情報の少なくとも１つを取得する量子化情報解析手段を備え、
前記フィルタ処理制御手段は、前記量子化情報解析手段によって取得された前記量子化情報および前記フィルタ強度情報の少なくとも１つに応じて、前記フィルタ処理手段におけるフィルタ処理のフィルタ強度を変更するように制御する
ことを特徴とする請求項１記載の画像再生装置。
【請求項１２】
前記フィルタ処理制御手段は、前記ストリームを構成するピクチャまたはスライス単位、または前記ピクチャを分割したブロック単位で、前記量子化情報および前記フィルタ強度情報の少なくとも１つに応じて、前記フィルタ処理手段におけるフィルタ処理のフィルタ強度を変更するように制御する
ことを特徴とする請求項１１記載の画像再生装置。
【請求項１３】
前記画像再生装置は、さらに、
前記ストリーム解析手段によって前記第１復号化方式内部でフィルタ処理されていると判定された場合、前記ストリームを構成するピクチャを分割したブロック単位に、前記第１復号化手段より、前記第１復号化方式内部でフィルタ処理されているか否かのフィルタ処理情報、復号化時の量子化情報、および復号化時のフィルタ強度情報の少なくとも１つを取得し、取得した前記フィルタ処理情報、前記量子化情報、および前記フィルタ強度情報の少なくとも１つを前記ストリームの所定の単位で集計する集計手段を備え、
前記フィルタ処理制御手段は、前記集計手段の集計結果に基づいて、前記フィルタ処理手段におけるフィルタ処理を前記ストリームの所定の単位で制御する
ことを特徴とする請求項１記載の画像再生装置。
【請求項１４】
符号化されたストリームを復号化して動画像を再生する画像再生方法であって、
ノイズを除去するためのフィルタ処理を内部に有する第１復号化方式で前記ストリームを復号化する第１復号化ステップと、
ノイズを除去するためのフィルタ処理を内部に有さない第２復号化方式で前記ストリームを復号化する第２復号化ステップと、
前記ストリームの符号化方式に応じて第１復号化ステップまたは第２復号化ステップにおいて復号化された動画像に対して、ノイズを除去するためのフィルタ処理を実行するフィルタ処理ステップと、
前記第１復号化ステップにおいて復号化される前記ストリームを解析することにより、前記第１復号化ステップにおける前記第１復号化方式内部でフィルタ処理されているか否かを前記ストリームの所定の単位で判定するストリーム解析ステップと、
前記ストリーム解析ステップにおける判定結果に基づいて、前記フィルタ処理ステップにおけるフィルタ処理を制御するフィルタ処理制御ステップと
を含むことを特徴とする画像再生方法。
【請求項１５】
符号化されたストリームを復号化して動画像を再生するためのプログラムであって、
ノイズを除去するためのフィルタ処理を内部に有する第１復号化方式で前記ストリームを復号化する第１復号化ステップと、
ノイズを除去するためのフィルタ処理を内部に有さない第２復号化方式で前記ストリームを復号化する第２復号化ステップと、
前記ストリームの符号化方式に応じて第１復号化ステップまたは第２復号化ステップにおいて復号化された動画像に対して、ノイズを除去するためのフィルタ処理を実行するフィルタ処理ステップと、
前記第１復号化ステップにおいて復号化される前記ストリームを解析することにより、前記第１復号化ステップにおける前記第１復号化方式内部でフィルタ処理されているか否かを前記ストリームの所定の単位で判定するストリーム解析ステップと、
前記ストリーム解析ステップにおける判定結果に基づいて、前記フィルタ処理ステップにおけるフィルタ処理を制御するフィルタ処理制御ステップとコンピュータに実行させる
ことを特徴とするプログラム。
【請求項１６】
符号化されたストリームを復号化して動画像を再生するための集積回路であって、
ノイズを除去するためのフィルタ処理を内部に有する第１復号化方式で前記ストリームを復号化する第１復号化手段と、
ノイズを除去するためのフィルタ処理を内部に有さない第２復号化方式で前記ストリームを復号化する第２復号化手段と、
前記ストリームの符号化方式に応じて第１復号化手段または第２復号化手段によって復号化された動画像に対して、ノイズを除去するためのフィルタ処理を実行するフィルタ処理手段と、
前記第１復号化手段によって復号化される前記ストリームを解析することにより、前記第１復号化手段によって前記第１復号化方式内部でフィルタ処理されているか否かを前記ストリームの所定の単位で判定するストリーム解析手段と、
前記ストリーム解析手段の判定結果に基づいて、前記フィルタ処理手段におけるフィルタ処理を制御するフィルタ処理制御手段と
を備えることを特徴とする集積回路。
【発明の詳細な説明】
【技術分野】
【０００１】
本発明は、複数方式の画像復号化手段を有する場合に、最適な画質での再生を実現する画像再生装置およびその方法に関するものである。
【背景技術】
【０００２】
近年、衛星（ＢＳ、ＣＳ）、地上波、ケーブル、インターネット等によるテレビ放送で配信される映像音声信号を、ハードディスク（ＨＤＤ）や光ディスク（ＤＶＤーＲＡＭ、ＤＶＤ−Ｒ、ＤＶＤ−ＲＷ、ＤＶＤ＋ＲＷ等）に記録するデジタルビデオレコーダが普及している。現在、デジタルビデオレコーダにおける画像符号化方式の主流は、ＭＰＥＧ２であるが、今後、長時間記録を目的として、符号化効率が高い画像符号化方式であるＨ．２６４／ＡＶＣ（以下、Ｈ．２６４という）が適用されることが想定される。Ｈ．２６４を適用した場合でも、デジタルテレビ放送ではＭＰＥＧ２が用いられているため、Ｈ．２６４とＭＰＥＧ２とを混在して記録することができるデジタルビデオレコーダが商品化されることが想定される。
【０００３】
ＭＰＥＧ２やＨ．２６４のような画像符号化方式においては、符号化対象画像をマクロブロックと呼ばれる小ブロックに分割して符号化処理を実行するため、復号化時にブロック歪と呼ばれるブロック状のノイズが発生する場合がある。また、その他にもモスキート歪など符号化に起因するノイズが発生する場合がある。
【０００４】
そこで、ＭＰＥＧ２を用いた画像再生装置においては、ＭＰＥＧ２の復号化処理の後に、ブロック歪を除去するポストフィルタ（デブロックフィルタ、デブロッキングフィルタと呼ばれる、以下ではデブロックフィルタという）を搭載することが多い。また、ブロック歪の他にもモスキート歪やその他のノイズを除去する目的のポストフィルタが搭載されている場合がある。
【０００５】
このように画像復号化後にブロック歪を除去するフィルタをかける例として、特殊再生時にポストフィルタをかけるデジタル映像信号再生装置が提案されている（例えば、特許文献１参照）。
【０００６】
図１２はＨ．２６４およびＭＰＥＧ２の復号化処理が混在する画像再生装置の想定される構成を示すブロック図である。
【０００７】
この画像再生装置は、図１２に示すようにストリーム判別部１０１、Ｈ．２６４で復号化を行う第１の復号化部１０２、ＭＰＥＧ２で復号化を行う第２の復号化部１０３、およびフィルタ処理部１０４を備えている。
【０００８】
この画像再生装置では、ストリームがストリーム判別部１０１に入力され、このストリーム判別部１０１によりＨ．２６４と判別されたストリームは第１の復号化部１０２へ、ＭＰＥＧ２と判別されたストリームは第２の復号化部１０３へ出力される。そして、第１の復号化部１０２または第２の復号化部１０３で復号化された動画像信号はフィルタ処理部１０４にてデブロックフィルタ等のフィルタ処理が施されることになる。
【特許文献１】特開平８−２６５６８９号公報
【発明の開示】
【発明が解決しようとする課題】
【０００９】
しかしながら、Ｈ．２６４においては、復号化方式内部にデブロックフィルタを搭載し、ストリームを復号化した時点ですでにデブロックフィルタが施された映像信号を出力可能となっている。したがって、Ｈ．２６４およびＭＰＥＧ２の復号化処理が混在する画像再生装置においては、Ｈ．２６４でデブロックフィルタがＯＮのストリームを再生する際に、ＭＰＥＧ２用のポストフィルタ処理がかかることで２重にフィルタ処理が実行されて、画質が劣化するという課題がある。
【００１０】
そこで、本発明は上記の事情に鑑みてなされたものであり、複数の復号化処理が混在する場合であっても、フィルタ処理が２重に実行されることを抑制し、画質劣化を回避することができる画像再生装置および画像再生方法を提供することを目的とする。
【課題を解決するための手段】
【００１１】
上記目的を達成するため、本発明に係る画像再生装置は、符号化されたストリームを復号化して動画像を再生する画像再生装置であって、ノイズを除去するためのフィルタ処理を内部に有する第１復号化方式で前記ストリームを復号化する第１復号化手段と、ノイズを除去するためのフィルタ処理を内部に有さない第２復号化方式で前記ストリームを復号化する第２復号化手段と、前記ストリームの符号化方式に応じて第１復号化手段または第２復号化手段によって復号化された動画像に対して、ノイズを除去するためのフィルタ処理を実行するフィルタ処理手段と、前記第１復号化手段によって復号化される前記ストリームを解析することにより、前記第１復号化手段によって前記第１復号化方式内部でフィルタ処理されているか否かを前記ストリームの所定の単位で判定するストリーム解析手段と、前記ストリーム解析手段の判定結果に基づいて、前記フィルタ処理手段におけるフィルタ処理を制御するフィルタ処理制御手段とを備えることを特徴とする。これによって、複数の復号化処理が混在する場合であっても、フィルタ処理が２重に実行されることを抑制し、画質劣化を回避することができる。
【００１２】
また、前記フィルタ処理制御手段は、前記ストリーム解析手段の判定結果に基づいて、前記フィルタ処理手段におけるフィルタ処理を前記ストリームの所定の単位で制御してもよい。また、前記画像再生装置は、さらに、前記ストリーム解析手段によって前記第１復号化方式内部でフィルタ処理されていると判定された場合、前記ストリームを構成するピクチャを分割したブロック単位に、前記第１復号化手段より前記第１復号化方式内部でフィルタ処理されているか否かのフィルタ処理情報を取得するフィルタ情報取得手段を備え、前記フィルタ処理制御手段は、前記フィルタ情報取得手段によって取得された前記フィルタ処理情報に基づいて、前記フィルタ処理手段におけるフィルタ処理を前記ブロック単位で制御してもよい。これによって、例えば、ストリームを構成するピクチャまたはスライス単位、またはピクチャを分割したブロック単位でフィルタ処理を制御することができ、画質劣化を回避することができる。
【００１３】
また、前記フィルタ処理手段は、復号化された前記動画像に対して複数種類のフィルタ処理を実行し、前記フィルタ処理制御手段は、前記ストリーム解析手段の判定結果に基づいて、前記フィルタ処理手段における、前記第１復号化方式内部でフィルタ処理されている種類と同じ種類のフィルタ処理を制御してもよい。これによって、復号化方式内部でフィルタ処理が実行されている種類のフィルタ処理のみを制御することで、フィルタ処理が２重に実行されることを抑制し、画質劣化を回避した上で、他のフィルタ効果を実現することで最適な画質で再生することが可能となる。
【００１４】
また、前記画像再生装置は、さらに、前記ストリーム解析手段によって前記第１復号化方式内部でフィルタ処理されていると判定された場合、前記ストリームを解析してフィルタ強度を判定するフィルタ強度判定手段を備え、前記フィルタ処理制御手段は、前記フィルタ強度判定手段によって判定されたフィルタ強度に応じて、前記フィルタ処理手段におけるフィルタ処理を制御してもよい。これによって、復号化方式内部でフィルタ処理が実行されている場合には、復号化方式内部のフィルタ強度に基づいて、復号化後段のフィルタ処理の強度を変更することで、最適な画質で再生することが可能となる。
【００１５】
また、前記画像再生装置は、さらに、前記ストリーム解析手段によって前記第１復号化方式内部でフィルタ処理されていると判定された場合、前記第１復号化手段より復号化時の量子化情報およびフィルタ強度情報の少なくとも１つを取得する量子化情報解析手段を備え、前記フィルタ処理制御手段は、前記量子化情報解析手段によって取得された前記量子化情報および前記フィルタ強度情報の少なくとも１つに応じて、前記フィルタ処理手段におけるフィルタ処理のフィルタ強度を変更するように制御してもよい。これによって、復号化方式内部でフィルタ処理が実行されている場合には、復号化時の情報に基づいて、ブロック単位に復号化後段のフィルタ処理の強度を変更することで、最適な画質で再生することが可能となる。
【００１６】
また、前記画像再生装置は、さらに、前記ストリーム解析手段によって前記第１復号化方式内部でフィルタ処理されていると判定された場合、前記ストリームを構成するピクチャを分割したブロック単位に、前記第１復号化手段より、前記第１復号化方式内部でフィルタ処理されているか否かのフィルタ処理情報、復号化時の量子化情報、および復号化時のフィルタ強度情報の少なくとも１つを取得し、取得した前記フィルタ処理情報、前記量子化情報、および前記フィルタ強度情報の少なくとも１つを前記ストリームの所定の単位で集計する集計手段を備え、前記フィルタ処理制御手段は、前記集計手段の集計結果に基づいて、前記フィルタ処理手段におけるフィルタ処理を前記ストリームの所定の単位で制御してもよい。これによって、復号化方式内部でフィルタ処理が実行されている場合には、ブロック単位の復号化時の情報を解析した上で、復号化後段のフィルタ処理を実行しないようにピクチャ単位に制御することで、フィルタ処理を効率的に抑制し、画質劣化を回避することが可能となる。
【００１７】
なお、本発明は、このような画像再生装置として実現することができるだけでなく、このような画像再生装置が備える特徴的な手段をステップとする画像再生方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１８】
本発明に係る画像再生装置および画像再生方法によれば、復号化方式内部でフィルタ処理が実行されている場合には、復号化後段のフィルタ処理を実行しないように制御することで、フィルタ処理が２重に実行されることを抑制し、画質劣化を回避することが可能となる。また、フィルタ処理が施されたストリームからフィルタ強度を表す情報を抽出し、復号化後段のフィルタ処理の強度を変更することで、画質劣化を回避し、最適な画質での画像再生を実現することが可能となる。
【発明を実施するための最良の形態】
【００１９】
以下、本発明の各実施の形態について、それぞれ図面を参照しながら説明する。
【００２０】
（実施の形態１）
図１は、本発明の実施の形態１に係る画像再生装置の構成を示すブロック図である。
【００２１】
画像再生装置１００は、２つの復号化方式（例えばＨ．２６４とＭＰＥＧ２）のいずれかで復号化を行って動画像を再生するための装置であり、ストリーム判別部１０１、第１の復号化部１０２、第２の復号化部１０３、フィルタ処理部１０４、ストリーム解析部１０５、およびフィルタ処理判定部１０６を備えている。なお、本実施の形態では、ＭＰＥＧ２とＨ．２６４との組み合わせを例に説明するが、どちらか片方の復号化方式が方式内部にフィルタ処理を有するものであれば、別の復号化方式の組み合わせであっても構わない。
【００２２】
ストリーム判別部１０１は、入力された再生すべきストリームがＨ．２６４またはＭＰＥＧ２のいずれで符号化されているかを判別し、Ｈ．２６４と判別したストリームは第１の復号化部１０２へ、ＭＰＥＧ２と判別したストリームは第２の復号化部１０３へ出力する。ここで、ストリーム判別部１０１は、例えば、ストリームのヘッダ情報、またはファイルシステム／ディスクシステム（例えばＢＤ−ＲＯＭ規格等）の情報を解析することで、Ｈ．２６４またはＭＰＥＧ２のいずれであるかを判別する。ストリームのヘッダ情報を解析する場合は、ビデオストリームのヘッダ先頭数バイト分のデータを比較することで判別することが可能である。一方、ファイルシステム／ディスクシステムには、動画像データの再生順序などを設定するプレイリストが定義されており、このプレイリストは動画像ファイルなどのアイテムから構成されている。アイテムの中に、ビデオストリームが含まれる場合には、ストリームタイプ（ＭＰＥＧ２やＨ．２６４等）が定義されているので、ファイルシステムからプレイリスト情報を取得し、ストリームタイプを判定することで、Ｈ．２６４またはＭＰＥＧ２のいずれであるかを判別することが可能である。
【００２３】
第１の復号化部１０２は、入力されたストリームをＨ．２６４で復号化する。第２の復号化部１０３は、入力されたストリームをＭＰＥＧ２で復号化する。フィルタ処理部１０４は、復号化された動画像信号にデブロックフィルタ処理を行う。ストリーム解析部１０５は、ストリーム判別部１０１によってＨ．２６４と判別されたストリームを解析し、デブロックフィルタ処理の有無を示す情報を抽出する。Ｈ．２６４においては、ストリーム中のピクチャパラメータセットに含まれるdeblocking_filter_control_present_flagフラグ、およびスライスヘッダに含まれるdisable_deblocking_filter_idcフラグとの組み合わせにより、デブロックフィルタ処理がＯＮかＯＦＦかの情報を抽出できる。ストリーム解析部１０５は、デブロックフィルタ処理がＯＮであるかＯＦＦであるかを示す識別信号をフィルタ処理判定部１０６へ出力する。
【００２４】
フィルタ処理判定部１０６は、フィルタ処理制御手段であり、デブロックフィルタ処理がＯＮの場合は、フィルタ処理部１０４のフィルタ処理を実行せず、デブロックフィルタ処理がＯＦＦの場合は、フィルタ処理を実行するようにフィルタ処理部１０４の制御を行う。
【００２５】
図２は第１の復号化部１０２の構成を示すブロック図である。
第１の復号化部１０２は、ストリーム判別部１０１によってＨ．２６４と判別されたストリームを方式内部にフィルタ処理を有するＨ．２６４で復号化する部であり、図２に示すようにエントロピー復号化部２０１、逆量子化部２０２、逆直交変換部２０３、動き補償部２０４、画像合成部２０５、およびデブロックフィルタ部２０６を備えている。
【００２６】
エントロピー復号化部２０１は、ストリーム判別部１０１によってＨ．２６４と判別されたストリームをエントロピー復号化し、量子化値、参照インデックス、および動きベクトル等を出力する。動き補償部１０２では、動きベクトルおよび参照インデックスを用いて、復号化画像から予測画像に最適な画像領域を取り出す。
【００２７】
逆量子化部２０２は、量子化値を逆量子化して周波数係数に復元し、逆直交変換部２０３に出力する。逆直交変換部２０３は、周波数係数から画素差分値に逆周波数変換し、画像合成部２０５に出力する。画像合成部２０５は、画素差分値と動き補償部２０４から出力される予測画像とを加算して復号化画像とする。
【００２８】
デブロックフィルタ部２０６は、ストリーム中のピクチャパラメータセットに含まれるdeblocking_filter_control_present_flagフラグ、およびスライスヘッダに含まれるdisable_deblocking_filter_idcフラグが（１，１）の場合は、デブロックフィルタをＯＦＦとする。また、２つのフラグが（１，１）以外の場合は、所定の条件によりブロック単位でデブロックフィルタのＯＮ／ＯＦＦを切り替える。
【００２９】
ブロック単位でデブロックフィルタのＯＮ／ＯＦＦを切り替える場合、デブロックフィルタ部２０６は、次の２つの条件により、デブロックフィルタのＯＮ／ＯＦＦを切り替える。デブロックフィルタ部２０６は、１つ目の条件として、ブロック境界の画素値の差分が所定値（α、β）よりも小さい時に、ブロック単位でのデブロックフィルタをＯＦＦとする。ここで、ブロックとは４×４、８×８に分割された符号化単位である。この所定値（α、β）はＱＰ値（量子化パラメータ）に依存した図３に示すようなテーブルから算出され、ＱＰ値が小さいほどＯＦＦになりやすい。また、スライス（ピクチャ）単位で設定されるslice_alpha_c0_offset_div2およびslice_beta_offset_div2という２つのオフセット値により、テーブルの所定値を変更することが可能である。この２つのオフセット値は−６〜６の値（ディフォルトは０）をとり、値が小さいほどフィルタがかかりにくくなる。
【００３０】
次に、デブロックフィルタ部２０６は、２つ目の条件として、フィルタ強度を決めるＢｓ値（Boundary Strength）がＢｓ＝０の時に、デブロックフィルタをＯＦＦとする。このＢｓ値は０〜４の値をとり、Ｂｓ値１〜４でデブロックフィルタをＯＮとし、数字が大きいほど強いフィルタをかける。また、このＢｓ値は、ブロック属するマクロブロックタイプ（イントラか否か）、マクロブロック境界のブロックであるか否か、直交変換係数の有無、動きベクトル値の差の有無、参照ピクチャ数の差の有無等により決まる。
【００３１】
このように、Ｈ．２６４の復号化処理では、デブロックフィルタ部２０６において復号化処理と連動してデブロックフィルタ処理が施される。
【００３２】
次に、上記のように構成された画像再生装置１００の動作について説明する。
図４は画像再生装置の動作の流れを示すフローチャートである。
【００３３】
再生すべきストリームは、ストリーム判別部１０１へ入力される。ストリーム判別部１０１は、入力された再生すべきストリームがＨ．２６４またはＭＰＥＧ２のいずれで符号化されているかを判別する（ステップＳ１０１）。ここで、ＭＰＥＧ２と判別した場合、ストリーム判別部１０１は、ＭＰＥＧ２と判別したストリームを第２の復号化部１０３へ出力する。そして、第２の復号化部１０３は、入力されたストリームをＭＰＥＧ２で復号化し、フィルタ処理部１０４へ出力する（ステップＳ１０２）。そして、フィルタ処理部１０４は、第２の復号化部１０３によって復号化された動画像に対してデブロックフィルタ処理を実行する（ステップＳ１０３）。
【００３４】
一方、Ｈ．２６４と判別した場合、Ｈ．２６４と判別したストリームを第１の復号化部１０２およびストリーム解析部１０５へ出力する。そして、第１の復号化部１０２は、入力されたストリームをＨ．２６４で復号化し、フィルタ処理部１０４へ出力する（ステップＳ１０４）。また、ストリーム解析部１０５は、Ｈ．２６４と判別されたストリーム中のピクチャパラメータセットに含まれるdeblocking_filter_control_present_flagフラグ、およびスライスヘッダに含まれるdisable_deblocking_filter_idcフラグを抽出する（ステップＳ１０５）。ストリーム解析部１０５は、抽出した２つのフラグから対象となるスライス（ピクチャ）に対して、第１の復号化部１０２でデブロックフィルタ処理が実行されるか否かを判定する（ステップＳ１０６）。なお、ピクチャを複数スライスに分割可能であるが、ここでは１ピクチャ１スライスであるものとする。抽出した２つのフラグが（１、１）であれば、ストリーム解析部１０５は、そのスライスに対してはデブロックフィルタ処理がＯＦＦであると判定（ステップＳ１０６でＮｏ）し、デブロックフィルタ処理がＯＦＦであることを示す識別信号をフィルタ処理判定部１０６へ出力する。フィルタ処理判定部１０６は、デブロックフィルタ処理がＯＦＦであることを示す識別信号を受け取った場合には、フィルタ処理部１０４でのフィルタ処理を実行するように制御を行う（ステップＳ１０７）。一方、抽出した２つのフラグが（１、１）以外であれば、ストリーム解析部１０５は、そのスライスに対してはデブロックフィルタ処理がＯＮであると判定（ステップＳ１０６でＹｅｓ）し、デブロックフィルタ処理がＯＮであることを示す識別信号をフィルタ処理判定部１０６へ出力する。フィルタ処理判定部１０６は、デブロックフィルタ処理がＯＮであることを示す識別信号を受け取った場合には、フィルタ処理部１０４でのフィルタ処理を実行しないように制御を行う（ステップＳ１０８）。
【００３５】
次に、すべてのピクチャについて処理が終了したか否かを判定する（ステップＳ１０９）。ここで、すべてのピクチャについて処理が終了していれば（ステップＳ１０９でＹｅｓ）、処理が終了する。一方、すべてのピクチャについて処理が終了していなければ（ステップＳ１０９でＮｏ）、次のスライスヘッダに含まれるdisable_deblocking_filter_idcフラグを抽出し、以下上記と同様の処理を繰り返す（ステップＳ１０５〜Ｓ１０９）。なお、２回目以降のフラグの抽出処理（ステップＳ１０５）では、ピクチャパラメータセットに含まれるdeblocking_filter_control_present_flagフラグについては、対象となるピクチャが参照するピクチャパラメータセットが替わった場合にだけ、新たにdeblocking_filter_control_present_flagフラグを抽出すればよい。
【００３６】
なお、本実施の形態では、フィルタ処理部１０４でのデブロックフィルタ処理をスライス（ピクチャ）単位で制御しているが、これに限られるものではない。例えば、第１の復号化部１０２からブロック単位に、第１の復号化部１０２内部でデブロックフィルタ処理されているか否かのフィルタ処理情報を取得する。そして、フィルタ処理判定部１０６は、ブロック単位に、このフィルタ処理情報がデブロックフィルタ処理のＯＮを示している場合は、フィルタ処理部１０４のフィルタ処理を実行せず、デブロックフィルタ処理のＯＦＦを示している場合は、フィルタ処理を実行するようにフィルタ処理部１０４の制御を行っても構わない。
【００３７】
以上のように、ストリームまたはストリームを格納したデータから、復号化方式内部でフィルタ処理が施されたストリームか否かを判定し、復号化方式内部でフィルタ処理が実行されている場合は、復号化後段のフィルタ処理を実行しないように制御することで、フィルタ処理が２重に実行されることを抑制し、画質劣化を回避することが可能となる。
【００３８】
（実施の形態２）
実施の形態１では、フィルタ処理部１０４において復号化された動画像信号にデブロックフィルタ処理だけを行っているが、本実施の形態では、複数のフィルタ処理を行う場合について説明する。
【００３９】
図５は、本発明の実施の形態２に係る画像再生装置の構成を示すブロック図である。なお、上記実施の形態１に係る画像再生装置の構成と同様の部分については、同じ符号を付し、説明を省略する。
【００４０】
本実施の形態の画像再生装置３００は、図５に示すように、実施の形態１のフィルタ処理判定部１０６に替えてフィルタ処理選択部３０１を備えている。また、フィルタ処理部３０２の動作が相違する。
【００４１】
フィルタ処理部３０２は、復号化された動画像信号に対して複数のフィルタ処理、すなわち、デブロックフィルタ処理に加えて、例えば、モスキート歪やその他のノイズを除去するためのフィルタ処理等を行う。
【００４２】
フィルタ処理選択部３０１は、フィルタ処理制御手段であり、デブロックフィルタ処理がＯＮの場合には、フィルタ処理部３０２のデブロックフィルタ処理のみを選択して実行せず、他の効果をもつフィルタ処理は実行するようにフィルタ処理部３０２の制御を行う。また、フィルタ処理選択部３０１は、デブロックフィルタ処理がＯＦＦの場合には、デブロックフィルタを含めてすべてフィルタ処理を実行するようにフィルタ処理部３０２の制御を行う。
【００４３】
以上のように、ストリームまたはストリームを格納したデータから、復号化方式内部でフィルタ処理が施されたストリームか否かを判定し、復号化方式内部でフィルタ処理が実行されている場合は、復号化後段のフィルタ処理を実行しないように制御する際に、デブロックフィルタのみを制御することで、デブロックフィルタ処理が２重に実行されることを抑制し、画質劣化を回避した上で、他のフィルタ効果を実現することで最適な画質で再生することが可能となる。
【００４４】
（実施の形態３）
実施の形態１では、フィルタ処理部１０４におけるデブロックフィルタ処理を実行するか実行しないように制御を行っているが、本実施の形態では、デブロックフィルタ処理の強度を変更する場合について説明する。
【００４５】
図６は、本発明の実施の形態３に係る画像再生装置の構成を示すブロック図である。なお、上記実施の形態１に係る画像再生装置の構成と同様の部分については、同じ符号を付し、説明を省略する。
【００４６】
本実施の形態の画像再生装置４００は、図６に示すように、実施の形態１のフィルタ処理判定部１０６に替えて、フィルタ強度判定部４０１およびフィルタ強度変更部４０２を備えている。また、フィルタ処理部４０３およびストリーム解析部４０４の動作が相違する。
【００４７】
フィルタ処理部４０３は、復号化された動画像信号に対してかけるデブロックフィルタ処理の強度を変更して実行する。ストリーム解析部４０４は、実施の形態１と同様にデブロックフィルタ処理の有無を示す情報の抽出および識別信号の出力を行うとともに、ストリームのスライスヘッダに含まれるフィルタ強度に関するオフセット値を抽出し、フィルタ強度判定部４０１へ通知する。なお、識別信号は、フィルタ強度判定部４０１へ出力される。
【００４８】
フィルタ強度判定部４０１は、ストリーム解析部４０４から通知されたオフセット値に基づいて、デブロックフィルタ処理の強度を判定し、デブロックフィルタ処理の強度を示すフィルタ強度信号をフィルタ強度変更部４０２に出力する。例えば、フィルタ強度判定部４０１は、オフセット値−６〜−４、−３〜−２、−１〜０、１〜２、３〜４、５〜６に応じて、強度レベルを５段階に判定する。
【００４９】
フィルタ強度変更部４０２は、フィルタ処理制御手段であり、フィルタ強度信号に基づいて、フィルタ処理部４０３のフィルタ強度をスライス単位で変更して実行するように制御する。例えば、デブロックフィルタ強度が強い場合は、フィルタ処理部４０３のフィルタ強度を弱くするというような制御を実行する。
【００５０】
次に、上記のように構成された画像再生装置４００の動作について説明する。
図７は実施の形態３の画像再生装置の動作の流れを示すフローチャートである。なお、ストリーム判別部１０１によるストリームの判別処理（ステップＳ１０１）からフィルタ処理部１０４によるフィルタ処理を実行処理（ステップＳ１０７）については、実施の形態１と同様であるので説明を省略する。
【００５１】
ストリーム解析部４０４は、デブロックフィルタ処理がＯＮであると判定した場合（ステップＳ１０６でＹｅｓ）、ストリームのスライスヘッダに含まれるフィルタ強度に関するオフセット値を抽出する（ステップＳ２０１）。そして、ストリーム解析部４０４は、デブロックフィルタ処理がＯＮであることを示す識別信号およびオフセット値をフィルタ強度判定部４０１へ出力する。フィルタ強度判定部４０１は、デブロックフィルタ処理がＯＮであることを示す識別信号およびオフセット値を受け取った場合には、オフセット値に基づいて、デブロックフィルタ処理の強度を判定し、デブロックフィルタ処理の強度を示すフィルタ強度信号をフィルタ強度変更部４０２に出力する（ステップＳ２０２）。フィルタ強度変更部４０２は、フィルタ強度信号に基づいて、対象となるスライス（ピクチャ）に対して、フィルタ処理部４０３のフィルタ強度を変更して実行するように制御する（ステップＳ２０３）。例えば、デブロックフィルタ強度が強い場合は、フィルタ処理部４０３のフィルタ強度を弱くするというような制御を実行する。以降の処理（ステップＳ１０９）については、実施の形態１と同様である。
【００５２】
なお、本実施の形態では、オフセット値に基づいてデブロックフィルタ処理の強度を判定し、その結果に基づいて、フィルタ処理部４０３のフィルタ強度をスライス単位で変更して実行するように制御しているが、単に、オフセット値が所定の閾値以上の場合は、フィルタ処理部４０３のフィルタ処理を実行しないように制御しても構わない。
【００５３】
以上のように、ストリームまたはストリームを格納したデータから、復号化方式内部でフィルタ処理が施されたストリームか否かを判定し、復号化方式内部でフィルタ処理が実行されている場合は、復号化後段のフィルタ処理を実行しないように制御する際に、ストリーム上のフィルタ強度に関する情報を解析して、このフィルタ強度に基づいて、復号化後段のフィルタ処理の強度を変更することで、最適な画質で再生することが可能となる。
【００５４】
（実施の形態４）
実施の形態３では、フィルタ処理部４０３におけるデブロックフィルタ処理の強度をスライス単位で変更しているが、本実施の形態では、デブロックフィルタ処理の強度をブロック単位で変更する場合について説明する。
【００５５】
図８は、本発明の実施の形態４に係る画像再生装置の構成を示すブロック図である。なお、上記実施の形態３に係る画像再生装置の構成と同様の部分については、同じ符号を付し、説明を省略する。
【００５６】
本実施の形態の画像再生装置５００は、図８に示すように、実施の形態３のフィルタ強度判定部４０１に替えて、量子化情報解析部５０１を備えている。また、フィルタ強度変更部５０２の動作が相違する。また、ストリーム解析部４０４は、識別信号およびフィルタ強度に関するオフセット値を量子化情報解析部５０１に出力する。
【００５７】
量子化情報解析部５０１は、第１の復号化部１０２から復号化結果に基づく、デブロックフィルタ処理の対象となる２つのブロックのＱＰ値（量子化パラメータ）の平均値、およびＢｓ値を取得する。例えば、第１の復号化部１０２のデブロックフィルタの強度レベルを０〜２０であると仮定した場合、量子化情報解析部５０１は、フィルタ強度信号、ＱＰ値の平均値、およびＢｓ値に基づいて、強度レベルが０〜２０の中のいくらであるかを算出し、算出した強度レベルをフィルタ強度変更部５０２に通知する。
【００５８】
フィルタ強度変更部５０２は、量子化情報解析部５０１から通知された強度レベルに基づいて、例えば図９（ａ）に示す直線１１または直線１２ようにフィルタ処理部４０３のフィルタ強度をブロック単位に決定し、決定したフィルタ強度でフィルタ処理を実行するように制御する。ここで、図９に示す例ではフィルタ処理部４０３のフィルタ強度レベルを０〜２０（この場合、フィルタ係数値を２０パターン規定）と仮定している。
【００５９】
次に、上記のように構成された画像再生装置５００の動作について説明する。
図１０は実施の形態４の画像再生装置の動作の流れを示すフローチャートである。なお、ストリーム判別部１０１によるストリームの判別処理（ステップＳ１０１）からフィルタ処理部１０４によるフィルタ処理を実行処理（ステップＳ１０７）については、実施の形態１と同様であるので説明を省略する。
【００６０】
ストリーム解析部４０４は、デブロックフィルタ処理がＯＮであると判定した場合（ステップＳ１０６でＹｅｓ）、ストリームのスライスヘッダに含まれるフィルタ強度に関するオフセット値を抽出する（ステップＳ２０１）。そして、ストリーム解析部４０４は、デブロックフィルタ処理がＯＮであることを示す識別信号およびオフセット値を量子化情報解析部５０１へ出力する。量子化情報解析部５０１は、デブロックフィルタ処理がＯＮであることを示す識別信号およびオフセット値を受け取った場合には、第１の復号化部１０２からデブロックフィルタ処理の対象となる２つのブロックのＱＰ値の平均値、およびＢｓ値を取得する（ステップＳ３０１）。次に、量子化情報解析部５０１は、フィルタ強度信号、ＱＰ値の平均値、およびＢｓ値に基づいて、強度レベルが０〜２０の中のいくらであるかを算出し、算出した強度レベルをフィルタ強度信号としてフィルタ強度変更部５０２に通知する（ステップＳ３０２）。そして、フィルタ強度変更部５０２は、量子化情報解析部５０１から通知された強度レベルに基づいて、フィルタ処理部４０３のフィルタ強度をブロック単位に決定し、決定したフィルタ強度でフィルタ処理を実行するように制御する（ステップＳ３０３）。
【００６１】
次に、対象ピクチャのすべてのブロックについて処理が終了したか否かを判定する（ステップＳ３０４）。ここで、すべてのブロックについて処理が終了していなければ（ステップＳ３０４でＮｏ）、次のデブロックフィルタ処理の対象となる２つのブロックのＱＰ値の平均値、およびＢｓ値を取得し、以下、上記と同様の処理を繰り返す（ステップＳ３０１〜Ｓ３０４）。一方、すべてのブロックについて処理が終了していれば（ステップＳ３０４でＹｅｓ）、すべてのピクチャについて処理が終了したか否かを判定する（ステップＳ１０９）。以降の処理については、実施の形態１と同様である。
【００６２】
なお、本実施の形態では、量子化情報解析部５０１は、フィルタ強度信号、ＱＰ値の平均値、およびＢｓ値に基づいて、強度レベルを算出し、算出した強度レベルをフィルタ強度変更部５０２に通知しているが、これに限られるものではない。例えば、量子化情報解析部５０１は、強度レベルの算出を行わず、取得したＱＰ値の平均値またはＢｓ値をフィルタ強度変更部５０２に通知する。そして、フィルタ強度変更部５０２が、量子化情報解析部５０１から通知されたＱＰ値の平均値またはＢｓ値に基づいて、例えば図９（ｂ）、（ｃ）に示す直線１３、直線１４、直線１５、または直線１６のようにフィルタ処理部４０３のフィルタ強度をブロック単位に決定し、決定したフィルタ強度でフィルタ処理を実行するように制御しても構わない。この場合、図９に示す横軸はＱＰ値の平均値またはＢｓ値であるものとする。
【００６３】
また、本実施の形態では、量子化情報解析部５０１は、フィルタ強度信号、ＱＰ値の平均値、およびＢｓ値に基づいて、強度レベルをブロック単位に算出しているが、これに限られるものではない。例えば、量子化情報解析部５０１は、取得したＱＰ値およびＢｓ値のピクチャでの平均値を求め、この平均値に基づいてピクチャでの強度レベルを算出しても構わない。この場合、フィルタ強度変更部５０２は、フィルタ処理部４０３のフィルタ強度をピクチャ単位に決定し、決定したフィルタ強度でフィルタ処理を実行するように制御することになる。
【００６４】
以上のように、ストリームまたはストリームを格納したデータから、復号化方式内部でフィルタ処理が施されたストリームか否かを判定し、復号化方式内部でフィルタ処理が実行されている場合は、復号化後段のフィルタ処理を実行しないように制御する際に、復号化時の情報を解析して、ブロック単位に復号化後段のフィルタ処理の強度を変更することで、最適な画質で再生することが可能となる。
【００６５】
（実施の形態５）
実施の形態１では、フィルタ処理部１０４におけるデブロックフィルタ処理を２つのフラグに基づいて制御しているが、本実施の形態では、他の条件を用いて制御する場合について説明する。
【００６６】
図１１は、本発明の実施の形態５に係る画像再生装置の構成を示すブロック図である。なお、上記実施の形態１に係る画像再生装置の構成と同様の部分については、同じ符号を付し、説明を省略する。
【００６７】
本実施の形態の画像再生装置６００は、図１１に示すように、実施の形態１の構成に加えて集計部６０１を備えている。なお、ストリーム解析部１０５は、デブロックフィルタ処理がＯＮであるかＯＦＦであるかを示す識別信号を集計部６０１へ出力する。
【００６８】
集計部６０１は、デブロックフィルタ処理がＯＮであることを識別信号が示す場合に、第１の復号化部１０２からブロック単位に、第１の復号化部１０２内部でデブロックフィルタ処理されているか否かのフィルタ処理情報を取得する。また、集計部６０１は、フィルタ処理情報を用いてデブロックフィルタ処理されているブロックの数をピクチャごとにカウントし、所定の閾値以上の場合に、そのピクチャをデブロックフィルタ処理が行われていると判定する。
【００６９】
フィルタ処理判定部１０６は、デブロックフィルタ処理が行われていると判定された場合は、フィルタ処理部１０４のフィルタ処理を実行せず、デブロックフィルタ処理が行われていないと判定された場合は、フィルタ処理を実行するようにフィルタ処理部１０４の制御を行う。
【００７０】
なお、本実施の形態では、集計部６０１は、第１の復号化部１０２から第１の復号化部１０２内部でデブロックフィルタ処理されているか否かのフィルタ処理情報を取得しているが、これに限られるものではない。例えば、集計部６０１は、第１の復号化部１０２からブロック単位にＢｓ値を取得し、Ｂｓ値が０より大きいブロックの数をピクチャごとにカウントし、所定の閾値以上の場合に、そのピクチャをデブロックフィルタ処理が行われていると判定しても構わない。また、集計部６０１は、第１の復号化部１０２からブロック単位にＱＰ値を取得し、このＱＰ値を加算してピクチャごとに平均値を算出し、この平均値が所定の閾値以上の場合に、デブロックフィルタ処理が行われているブロック数が多いと推定して、そのピクチャをデブロックフィルタ処理が行われていると判定しても構わない。
【００７１】
また、本実施の形態では、ストリーム解析部１０５を備え、デブロックフィルタ処理がＯＮであることを識別信号が示す場合に、集計部６０１は、ブロック単位にフィルタ処理情報を取得しているが、これに限られるものではない。例えば、ストリーム解析部１０５を備えず、集計部６０１は、常にブロック単位にフィルタ処理情報を取得しても構わない。
【００７２】
以上のように、ストリームまたはストリームを格納したデータから、復号化方式内部でフィルタ処理が施されたストリームか否かを判定し、復号化方式内部でフィルタ処理が実行されている場合は、ブロック単位の復号化時の情報を解析した上で、復号化後段のフィルタ処理を実行しないようにピクチャ単位に制御することで、フィルタ処理を効率的に抑制し、画質劣化を回避することが可能となる。
【００７３】
なお、図１、図５、図６、図８、図１１に示したブロック図の各機能ブロックは典型的には集積回路であるＬＳＩとして実現される。このＬＳＩは１チップ化されても良いし、複数チップ化されても良い。（例えばメモリ以外の機能ブロックが１チップ化されていても良い。）ここでは、ＬＳＩとしたが、集積度の違いにより、ＩＣ、システムＬＳＩ、スーパーＬＳＩ、ウルトラＬＳＩと呼称されることもある。
【００７４】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００７５】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００７６】
また、各機能ブロックのうち、データを格納するユニットだけ１チップ化せずに、別構成としても良い。
【産業上の利用可能性】
【００７７】
本発明に係る画像表示装置および画像表示方法は、例えば、パーソナルコンピュータ、ＨＤＤレコーダ、ＤＶＤレコーダ等に適用でき、複数の方式で符号化されたストリームを再生する際に、最適な画質で視聴する用途として有用である。
【図面の簡単な説明】
【００７８】
【図１】本発明の実施の形態１に係る画像再生装置の構成を示すブロック図である。
【図２】第１の復号化部の構成を示すブロック図である。
【図３】デブロックフィルタの強度を決定する際の閾値（α、β）を算出するためのテーブルを示す図である。
【図４】実施の形態１に係る画像再生装置の動作の流れを示すフローチャートである。
【図５】本発明の実施の形態２に係る画像再生装置の構成を示すブロック図である。
【図６】本発明の実施の形態３に係る画像再生装置の構成を示すブロック図である。
【図７】実施の形態３に係る画像再生装置の動作の流れを示すフローチャートである。
【図８】本発明の実施の形態４に係る画像再生装置の構成を示すブロック図である。
【図９】（ａ）第１の復号化部のデブロックフィルタの強度レベルとフィルタ処理部のフィルタ強度レベルとの関係を示す図、（ｂ）ＱＰ値の平均値とフィルタ処理部のフィルタ強度レベルとの関係を示す図、（ｃ）Ｂｓ値とフィルタ処理部のフィルタ強度レベルとの関係を示す図である。
【図１０】実施の形態４に係る画像再生装置の動作の流れを示すフローチャートである。
【図１１】本発明の実施の形態５に係る画像再生装置の構成を示すブロック図である。
【図１２】Ｈ．２６４およびＭＰＥＧ２の復号化処理が混在する画像再生装置の想定される構成を示すブロック図である。
【符号の説明】
【００７９】
１００、３００、４００、５００、６００  画像再生装置
１０１  ストリーム判別部
１０２  第１の復号化部
１０３  第２の復号化部
１０４、３０２、４０３  フィルタ処理部
１０５、４０４  ストリーム解析部
１０６  フィルタ処理判定部
２０１  エントロピー復号化部
２０２  逆量子化部
２０３  逆直交変換部
２０４  動き補償部
２０５  画像合成部
２０６  デブロックフィルタ部
３０１  フィルタ処理選択部
４０１  フィルタ強度判定部
４０２、５０２  フィルタ強度変更部
５０１  量子化情報解析部
６０１  集計部
【図１】
2007129369.tif 000003
【図２】
2007129369.tif 000004
【図３】
2007129369.tif 000005
【図４】
2007129369.tif 000006
【図５】
2007129369.tif 000007
【図６】
2007129369.tif 000008
【図７】
2007129369.tif 000009
【図８】
2007129369.tif 000010
【図９】
2007129369.tif 000011
【図１０】
2007129369.tif 000012
【図１１】
2007129369.tif 000013
【図１２】
2007129369.tif 000014